(57)【特許請求の範囲】
【請求項１】
異なる色で発光可能な複数の発光ダイオードがフレキシブル基板上に配備されると共に、該フレキシブル基板上で該複数の発光ダイオードに対して接続可能に一つの電流供給用の電流パターンと色別に複数のランドパターンとが引き出されて成る発光ダイオードシート部材を含み、該発光ダイオードシート部材にあっての該電流パターンと該複数のランドパターンとにおける局部領域で色別に形成される複数のショートランドの中から選択選定したもののショートが可能である発光ダイオード用点灯接続装置において、前記電流パターンに接続固定される導通可能な台座と、前記台座上に回転可能に取り付けられた導通可能なフックと、前記フックに一端が接続固定され、且つ他端が自由端として前記複数のランドパターンの中から選択選定したものに回転接触されることで前記複数のショートランドの中から選択選定したもののショートを行う導通可能な接触片とから成る発光ダイオード点灯接続用金具を備え、更に、前記接触片における前記フレキシブル基板側の中途部分には凸状の位置決め用ボスが設けられ、前記フレキシブル基板上における前記接触片側の前記電流パターン及び前記複数のランドパターンの隙間部分には複数の位置決め用穴が設けられ、前記位置決め用ボス及び前記複数の位置決め用穴の選択選定されたものは、互いに係止されて前記回転接触を位置決めして安定化させるように働くことを特徴とする発光ダイオード用点灯接続装置。
【発明の詳細な説明】
【０００１】
【発明の属する技術分野】
本発明は、主として薄型光ディスクドライブ等の寸法面積が制約されるフレキシブル基板上に配備されて異なる色で発光する複数個の発光ダイオード（以下、ＬＥＤとする）の特定のものを選択的に接続して点灯させるために好適なＬＥＤ用点灯接続装置に関する。
【０００２】
【従来の技術】
従来、光ディスクドライブで使用されるＬＥＤの発光色はアンバー色と緑色との２種類があり、仕向け先に応じて単色ＬＥＤによる発光色をアンバー色又は緑色に選定している。
【０００３】
図６は、従来の光ディスクドライブに適用されるＬＥＤ用点灯接続装置の基本構造部であるＬＥＤシート部材を示した平面図である。このＬＥＤシート部材は、単色発光するＬＥＤを取り付けるための２個の単色ＬＥＤ用端子４１０がフレキシブル基板４００上に配備されると共に、フレキシブル基板４００上で各単色ＬＥＤ用端子４１０に対して接続されるように電流供給用のＬＥＤ用電流パターン４２０とグランドパターン４３０とが引き出されて成る。
【０００４】
このＬＥＤシート部材の場合、２個の単色ＬＥＤ用端子４１０にアンバー色又は緑色の単色ＬＥＤを装着した後、ＬＥＤ用電流パターン４２０に沿って電流を供給すると、電流が単色ＬＥＤ用端子４１０を通ってアンバー色又は緑色の単色ＬＥＤに通電し、単色ＬＥＤが発光する。尚、このＬＥＤシート部材において、フレキシブル基板４００に代えてプリント基板を使用することも可能であるが、この場合にはＬＥＤ部材として構成される。
【０００５】
ところが、このＬＥＤシート部材は、単色ＬＥＤによる発光色を有するものであるため、例えば客先仕様として発光色を変更する旨の要望があると、その都度ＬＥＤシート部材において既に組立済の単色ＬＥＤを取り外し、客先仕様に合わせた発光色の単色ＬＥＤを取り付け直さなければならず、アフターケアに手間が掛かってしまうという問題がある他、短納期の生産のために在庫がない場合には対応ができなくなるし、反対に在庫が多量に余ったときには無駄になってしまう等、生産管理上において非効率的であるという問題もある。
【０００６】
そこで、このような問題を解決するために、例えば特開平７−２４０５３７号公報の発光素子の発光色選択可能なプリント基板に開示されているように、ＬＥＤ部材において異なる色で発光可能な２色ＬＥＤを採用し、客先仕様に合わせて生産現場でフレキシブルに対応する構成のものも提案されている。
【０００７】
即ち、このＬＥＤ部材（プリント基板）の場合、２色ＬＥＤの２色入力端子をプリント基板に並列に形成した２つの信号供給回路に接続し、これらの信号供給回路の途中が迂回されたプリント基板の２つの突片を選択的に折り取ることで２色ＬＥＤの信号が供給される２色入力端子を選択できるようにしており、係る構成によって１種類のプリント基板でありながらＬＥＤの発光色を希望する色に簡単に選択できるようになっている。
【０００８】
【発明が解決しようとする課題】
上述したＬＥＤ部材（プリント基板）の場合、２色ＬＥＤの発光色をフレキシブルに選定できるという便利さはあるが、基本構成として２つの突片を選択的に折り取ることで２色ＬＥＤの信号が供給される２色入力端子を選択する構造であるため、折り取られる突片が無駄になってしまうという問題や繰り返し発光色の変更が要望された場合には対応できないという問題がある他、２色ＬＥＤを使用可能にするために色数分の電気的な配線パターン（特にＬＥＤ用電流パターン）を引き回さなければならず、配線パターンを設けるために相応の占有面積を必要としているが、こうした構成であれば薄型光ディスクドライブに適用されるＬＥＤシート部材のように配線パターンを極小な面積しか取れない場合にはそれを配設するための面積を確保できないため、結果として薄型光ディスクドライブ向けのＬＥＤシート部材には採用することが困難であるという問題がある。
【０００９】
本発明は、このような問題点を解決すべくなされたもので、その技術的課題は、配線パターンの占有面積を最小限に抑えた上で多色ＬＥＤの発光色を選択的に繰り返し変更選定可能に使用できる薄型光ディスクドライブに好適なＬＥＤ用点灯接続装置を提供することにある。
【００１０】
【課題を解決するための手段】
本発明によれば、異なる色で発光可能な複数の発光ダイオードがフレキシブル基板上に配備されると共に、該フレキシブル基板上で該複数の発光ダイオードに対して接続可能に一つの電流供給用の電流パターンと色別に複数のランドパターンとが引き出されて成る発光ダイオードシート部材を含み、該発光ダイオードシート部材にあっての該電流パターンと該複数のランドパターンとにおける局部領域で色別に形成される複数のショートランドの中から選択選定したもののショートが可能である発光ダイオード用点灯接続装置において、電流パターンに接続固定される導通可能な台座と、台座上に回転可能に取り付けられた導通可能なフックと、フックに一端が接続固定され、且つ他端が自由端として複数のランドパターンの中から選択選定したものに回転接触されることで複数のショートランドの中から選択選定したもののショートを行う導通可能な接触片とから成る発光ダイオード点灯接続用金具を備え、更に、接触片におけるフレキシブル基板側の中途部分には凸状の位置決め用ボスが設けられ、フレキシブル基板上における接触片側の電流パターン及び複数のランドパターンの隙間部分には複数の位置決め用穴が設けられ、位置決め用ボス及び複数の位置決め用穴の選択選定されたものは、互いに係止されて回転接触を位置決めして安定化させるように働くＬＥＤ用点灯接続装置が得られる。
【００１１】
【発明の実施の形態】
以下に実施の形態を挙げ、本発明のＬＥＤ用点灯接続装置について、図面を参照して詳細に説明する。
【００１２】
図１は、本発明の一つの実施の形態に係るＬＥＤ用点灯接続装置の基本構造部であるＬＥＤシート部材の一例を示した平面図である。このＬＥＤシート部材は、異なる２色で発光可能なＬＥＤを取り付けるための総計４個の２色ＬＥＤ用端子１１０がフレキシブル基板１００上に配備されると共に、フレキシブル基板１００上で各２色ＬＥＤ用端子１１０に対して接続可能に１本の電流供給用のＬＥＤ用電流パターン１４０，グランドパターン１５０，色別な複数のＬＥＤ用ランドパターンである１色目ＬＥＤ用ランドパターン１２０及び２色目ＬＥＤ用ランドパターン１３０が引き出されて成っている。
【００１３】
このＬＥＤシート部材の場合、４個の２色ＬＥＤ用端子１１０にアンバー色と緑色とによる２色ＬＥＤを装着した後、ＬＥＤシート部材にあってのＬＥＤ用電流パターン１４０と色別な複数（ここでは２つ）のＬＥＤ用ランドパターンである１色目ＬＥＤ用ランドパターン１２０及び２色目ＬＥＤ用ランドパターン１３０とにおける互いに近接する局部領域で色別に形成される複数（ここでは２つ）のＬＥＤ用ショートランドである１色目ＬＥＤ用ショートランド１４１及び２色目ＬＥＤ用ショートランド１４２の中から選択選定したもの（図１の場合には斜線で示される１色目ＬＥＤ用ショートランド１４１側を選択選定した場合を例示している）を半田付けによりショートさせた上、ＬＥＤ用電流パターン１４０に沿って電流を供給すると、電流がＬＥＤ用電流パターン１４０から１色目ＬＥＤ用ランドパターン１２０経由で２色ＬＥＤ用端子１１０を通ってアンバー色と緑色とによる２色ＬＥＤに通電し、２色ＬＥＤが１色目として発光する。即ち、ここで１色目がアンバー色であれば、２色ＬＥＤは１色目ＬＥＤ用ショートランド１４１のショートによりアンバー色に発光する。又、ここで２色目ＬＥＤ用ショートランド１４２をショートさせた場合には、電流が２色目ＬＥＤ用ランドパターン１３０経由で２色ＬＥＤ用端子１１０を通ることにより２色ＬＥＤが緑色に発光する。
【００１４】
図２は、本発明の一つの実施の形態に係るＬＥＤ用点灯接続装置の基本構造部であるＬＥＤシート部材の他例を示した平面図である。このＬＥＤシート部材は、異なる２色で発光可能なＬＥＤを取り付けるための単体の２色ＬＥＤ用端子２１０がフレキシブル基板２００上に配備されると共に、フレキシブル基板２００上で２色ＬＥＤ用端子２１０に対して接続可能に１本の電流供給用のＬＥＤ用電流パターン２４０，グランドパターン２５０，色別な複数のＬＥＤ用ランドパターンである１色目ＬＥＤ用ランドパターン２２０及び２色目ＬＥＤ用ランドパターン２３０が引き出されて成っている。
【００１５】
このＬＥＤシート部材の場合、２色ＬＥＤ用端子２１０にアンバー色と緑色とによる２色ＬＥＤを装着した後、ＬＥＤシート部材にあってのＬＥＤ用電流パターン２４０と色別な複数（ここでは２つ）のＬＥＤ用ランドパターンである１色目ＬＥＤ用ランドパターン２２０及び２色目ＬＥＤ用ランドパターン２３０とにおける互いに近接する局部領域で色別に形成される複数（ここでは２つ）のＬＥＤ用ショートランドである１色目ＬＥＤ用ショートランド２４１及び２色目ＬＥＤ用ショートランド２４２の中から選択選定したもの（図２の場合には斜線で示される１色目ＬＥＤ用ショートランド２４１側を選択選定した場合を例示している）を半田付けによりショートさせた上、ＬＥＤ用電流パターン２４０に沿って電流を供給すると、電流がＬＥＤ用電流パターン２４０から１色目ＬＥＤ用ランドパターン２２０経由で２色ＬＥＤ用端子２１０を通ってアンバー色と緑色とによる２色ＬＥＤに通電し、２色ＬＥＤが１色目として発光する。即ち、ここで１色目がアンバー色であれば、２色ＬＥＤは１色目ＬＥＤ用ショートランド２４１のショートによりアンバー色に発光する。又、ここで２色目ＬＥＤ用ショートランド２４２をショートさせた場合には、電流が２色目ＬＥＤ用ランドパターン２３０経由で２色ＬＥＤ用端子２１０を通ることにより２色ＬＥＤが緑色に発光する。
【００１６】
即ち、このような各ＬＥＤシート部材によれば、従来では単色ＬＥＤを使用し、生産モデルが変更される都度単色ＬＥＤの交換を行っていたが、ここでは２色ＬＥＤの交換をすることなく、フレキシブルな生産対応が可能となっている。又、通常２色ＬＥＤを発光させるためには２系統のＬＥＤ用電流パターンと１系統のグランドパターンとによる合計３系統の電気的な配線パターンを必要としていたが、ここでは１系統のＬＥＤ用電流パターン１４０，２４０と１系統のグランドパタ−ン１５０，２５０とによる合計２系統で電気的な配線パターンの占有面積を最小限として配設するように工夫しているため、フレキシブル基板１００，２００の面積を最小化し、配線パターンの面積を取れない薄型の光ディスクドライブへ好適な構成となっている。尚、上述した１色目ＬＥＤ用ショートランド１４１，２４１や２色目ＬＥＤ用ショートランド１４２，２４２のショートは生産現場で行うようにすれば、フレキシブルな生産効果を上げることが可能となる。
【００１７】
ところで、上述した各ＬＥＤシート部材では、生産現場で２色ＬＥＤの発光色の変更を容易に対応可能にするため、色別な複数のＬＥＤ用ショートランド（１色目ＬＥＤ用ショートランド１４１，２４１や２色目ＬＥＤ用ショートランド１４２，２４２を示す）を設けてその選択選定したものを半田付けによりショートすることで２色ＬＥＤを指定色に点灯接続して発光できるようにした場合を説明したが、こうした半田付けによるショートに代えて後述するＬＥＤ点灯接続用金具を使用して指定色を点灯接続するための選択選定を生産現場以外でも任意に繰り返し簡易に行わせるようにした方が好ましい。
【００１８】
図３は、本発明の一つの実施の形態に係るＬＥＤ用点灯接続装置の要部であるＬＥＤ点灯接続用金具１０を用いて図１並びに図２に示すＬＥＤシート部材における色別な複数（ここでは２つ）のＬＥＤ用ショートランド（１色目ＬＥＤ用ショートランド１４１，２４１や２色目ＬＥＤ用ショートランド１４２，２４２）を選定してショートさせる様子を概略的に示した平面図である。又、図４は、このＬＥＤ点灯接続用金具１０の細部構成を示したもので、同図（ａ）は平面図に関するもの，同図（ｂ）は側面図に関するものである。
【００１９】
ここで用いるＬＥＤ点灯接続用金具１０は、図１又は図２で説明したＬＥＤシート部材にあってのＬＥＤ用電流パターン１４０，２４０と色別な複数のランドパターンである１色目ＬＥＤ用ランドパターン１２０，２２０や２色目ＬＥＤ用ランドパターン１３０，２３０とにおける局部領域で色別に形成される複数のショートランドである１色目ＬＥＤ用ショートランド１４１，２４１や２色目ＬＥＤ用ショートランド１４２，２４２の中から選択選定したものをショートさせるためのもので、具体的に言えば、ＬＥＤ用電流パターン１４０，２４０に接続固定される導通可能な台座１１と、台座１１上に回転可能に取り付けられた導通可能なフック１２と、フック１２に一端が接続固定され、且つ他端が自由端として色別な複数のランドパターンである１色目ＬＥＤ用ランドパターン１２０，２２０や２色目ＬＥＤ用ランドパターン１３０，２３０の中から選択選定したもの  （図３では１色目ＬＥＤ用ランドパターン１２０，２２０側）に回転接触されることで色別な複数のショートランド（１色目ＬＥＤ用ショートランド１４１，２４１や２色目ＬＥＤ用ショートランド１４２，２４２を示す）の中から選択選定したもののショートを行う導通可能な接触片１３とから成っている。
【００２０】
このうち、接触片１３におけるフレキシブル基板１００，２００側の中途部分には凸状の位置決め用ボス１４が設けられ、フレキシブル基板１００，２００上における接触片１３側のＬＥＤ用電流パターン１４０，２４０及び色別な複数のＬＥＤ用ランドパターン（１色目ＬＥＤ用ランドパターン１２０，２２０や２色目ＬＥＤ用ランドパターン１３０，２３０を示す）との隙間部分には複数（ここでは２個）の位置決め用穴１５が設けられている。
【００２１】
これらの位置決め用ボス１４及び位置決め用穴１５の選択選定されたものは、接触片１３の他端である自由端が色別な複数のＬＥＤ用ランドパターン（１色目ＬＥＤ用ランドパターン１２０，２２０や２色目ＬＥＤ用ランドパターン１３０，２３０を示す）の中から選択選定したものに回転接触される際、互いに係止されて回転接触を位置決めして安定化させるように働く。
【００２２】
即ち、このようなＬＥＤ点灯接続用金具１０を用いれば、使用者が台座１１上のフック１２を回転操作するだけで接触片１３の他端である自由端が１色目ＬＥＤ用ランドパターン１２０，２２０や２色目ＬＥＤ用ランドパターン１３０，２３０に接触して２色目ＬＥＤ１６０，２６０の発光色を希望するように任意に選択選定できるので、半田付けによりショートさせる場合よりも取り扱いが簡単になり、しかも一層２色ＬＥＤ１６０，２６０の発光色を選択的に繰り返し変更選定することが容易になる。
【００２３】
図５は、本発明の一つの実施の形態に係るＬＥＤ用点灯接続装置の基本構造部であるＬＥＤシート部材の別例を示した平面図である。このＬＥＤシート部材は、異なる３色で発光可能な３色ＬＥＤ３６０がフレキシブル基板３００上に配備されると共に、フレキシブル基板３００上で３色ＬＥＤ３６０に対して接続可能に１本の電流供給用のＬＥＤ用電流パターン３４０，グランドパターン３５０，色別な複数のＬＥＤ用ランドパターンである１色目ＬＥＤ用ランドパターン３１０，２色目ＬＥＤ用ランドパターン３２０，３色目ＬＥＤ用ランドパターン３４０が引き出されて成っている。
【００２４】
このＬＥＤシート部材の場合、ＬＥＤ用電流パターン３４０と色別な複数（ここでは３つ）のＬＥＤ用ランドパターンである１色目ＬＥＤ用ランドパターン３１０，２色目ＬＥＤ用ランドパターン３２０，３色目ＬＥＤ用ランドパターン３３０とにおける互いに近接する局部領域で色別に形成される複数（ここでは３つ）のＬＥＤ用ショートランドである１色目ＬＥＤ用ショートランド３４１，２色目ＬＥＤ用ショートランド３４２，３色目ＬＥＤ用ショートランド３４３の中から選択選定したもの（図５の場合には斜線で示される１色目ＬＥＤ用ショートランド３４１側を選択選定した場合を例示している）を半田付けによりショートさせた上、ＬＥＤ用電流パターン３４０に沿って電流を供給すると、電流がＬＥＤ用電流パターン３４０から１色目ＬＥＤ用ランドパターン３１０経由で３色ＬＥＤ３６０に通電し、３色ＬＥＤ３６０が１色目として発光する。又、ここで２色目ＬＥＤ用ショートランド３４２をショートさせた場合には、電流が２色目ＬＥＤ用ランドパターン３２０経由で３色ＬＥＤ３６０を通り、３色ＬＥＤ３６０が２色目として発光する。更に、ここで３色目ＬＥＤ用ショートランド３４３をショートさせた場合には、電流が３色目ＬＥＤ用ランドパターン３３０経由で３色ＬＥＤ用端子３６０を通り、３色ＬＥＤ３６０が３色目として発光する。
【００２５】
即ち、この３色ＬＥＤ３６０を有するＬＥＤシート部材の場合、先の各２色ＬＥＤ１６０，２６０を有するＬＥＤシート部材では従来の２系統必要としたＬＥＤ用電流パターンを１系統として構成したのに対し、従来の３系統必要としたＬＥＤ用電流パターンを１系統として構成しているため、配線パターンの占有面積の縮小化が一層高められている。
【００２６】
又、ここでの３色ＬＥＤ３６０を有するＬＥＤシート部材に対しても、上述したＬＥＤ点灯接続用金具１０を用いてフック１２を回転操作することにより、１色目ＬＥＤ用ランドパターン３１０，２色目ＬＥＤ用ランドパターン３２０，３色目ＬＥＤ用ランドパターン３３０の何れか一つを接触片１３の他端の自由端で回転接触させ、１色目ＬＥＤ用ショートランド３４１，２色目ＬＥＤ用ショートランド３４２，３色目ＬＥＤ用ショートランド３４３の何れか一つを選択選定するようにすれば、半田付けによりショートさせる場合よりも取り扱いが簡単になり、しかも一層３色ＬＥＤ３６０の発光色を選択的に繰り返し変更選定することが容易になる。但し、この場合においても、接触片１３の他端の回転接触の動作を安定化させるため、フレキシブル基板３００上における接触片１３側のＬＥＤ用電流パターン３４０及び色別な３つのＬＥＤ用ランドパターン（１色目ＬＥＤ用ランドパターン３１０，２色目ＬＥＤ用ランドパターン３２０，３色目ＬＥＤ用ランドパターン３３０を示す）との隙間部分には３個の位置決め用穴１５を設けることが望ましい。
【００２７】
尚、上述した各ＬＥＤ用点灯接続装置、並びにＬＥＤ点灯接続用金具１０は、２色ＬＥＤ１６０，２６０や３色ＬＥＤ３６０を使用した場合の適用例として説明したが、４色以上のＬＥＤを使用した場合にも適用可能であるので、本発明は開示した形態のものに限定されない。
【００２８】
【発明の効果】
以上に述べた通り、本発明によれば、ＬＥＤシート部材の配線パターンを工夫してＬＥＤ用電流パターンを１系統とした上でこのＬＥＤ用電流パターンと発光色の系統数分の各ＬＥＤ用ランドパターンとにおける互いに近接する局部領域で色別に形成される各ＬＥＤ用ショートランドの中から選択選定したものをショートさせるための構造として、ＬＥＤシート部材におけるＬＥＤ用電流パターンに接続固定される導通可能な台座上に回転可能に取り付けられた導通可能なフックに一端が接続固定された導通可能な接触片における他端の自由端を各ＬＥＤ用ランドパターンの中から選択選定したものに回転接触させる構造のＬＥＤ点灯接続用金具を用いて各ＬＥＤ用ショートランドの中から選択選定したもののショートを行うように、接触片におけるフレキシブル基板側の中途部分に設けられた凸状の位置決め用ボス、及びフレキシブル基板上における接触片側の電流パターン及び複数のランドパターンの隙間部分に設けられた複数の位置決め用穴にあっての選択選定されたものが互いに係止されて回転接触を位置決めして安定化させるように働く機能を得ているので、配線パターンの占有面積を最小限に抑えた上で多色ＬＥＤの発光色を希望する色に簡単に選択することができると共に、選択的に繰り返し変更選定可能に使用できるようになる。特にこのＬＥＤ点灯接続用金具では、使用者が台座上のフックを回転操作するだけで接触片の他端である自由端が所定のＬＥＤ用ランドパターンに接触して発光色を希望するように任意に選択選定でき、半田付けでショートを行う場合に必要な半田や半田鏝が不要となるため、半田付けによりショートさせる場合よりも取り扱いが簡単になり、しかも発光色を選択的に繰り返し変更選定することが容易であって、取り扱いが極めて簡単になる。これにより、例えば生産現場で各ＬＥＤ用ショートランドの中から選択選定したものを半田付けでショートさせるよりも、ＬＥＤ点灯接続用金具を用いて接触片の自由端でショートさせるだけで多色ＬＥＤの発光色を即座に希望する色向けに点灯接続設定したり、場合によっては異なる２色を同時に発光させるように点灯接続設定しておくことができるため、フレキシブルな生産に対応可能となり、しかもＬＥＤ用電流パターンが１本で済ませられるように配線パターンを削減してＬＥＤシート部材を小規模で構成しているために配線パターンの占有面積を取ることが困難な薄型光ディスクドライブ向けとして好適となる。
【図面の簡単な説明】
【図１】  本発明の一つの実施の形態に係るＬＥＤ用点灯接続装置の基本構造部であるＬＥＤシート部材の一例を示した平面図である。
【図２】  本発明の一つの実施の形態に係るＬＥＤ用点灯接続装置の基本構造部であるＬＥＤシート部材の他例を示した平面図である。
【図３】  本発明の一つの実施の形態に係るＬＥＤ用点灯接続装置の要部であるＬＥＤ点灯接続用金具を用いて図１並びに図２に示すＬＥＤシート部材における色別な複数のＬＥＤ用ショートランドを選定してショートさせる様子を概略的に示した平面図である。
【図４】  図３に示すＬＥＤ点灯接続用金具の細部構成を示したもので、（ａ）は平面図に関するもの，（ｂ）は側面図に関するものである。
【図５】  本発明の一つの実施の形態に係るＬＥＤ用点灯接続装置の基本構造部であるＬＥＤシート部材の別例を示した平面図である。
【図６】  従来の光ディスクドライブに適用されるＬＥＤ用点灯接続装置の基本構造部であるＬＥＤシート部材を示した平面図である。
【符号の説明】
１０  ＬＥＤ点灯接続用金具
１１  台座
１２  フック
１３  接触片
１４  位置決め用ボス
１５  位置決め用穴
１００，２００，３００，４００  フレキシブル基板
１１０，２１０  ２色ＬＥＤ用端子
１２０，２２０，３１０  １色目ＬＥＤ用ランドパターン
１３０，２３０，３２０  ２色目ＬＥＤ用ランドパターン
１４０，２４０，３４０，４２０  ＬＥＤ用電流パターン
１４１，２４１，３４１  １色目ＬＥＤ用ショートランド
１４２，２４２，３４２  ２色目ＬＥＤ用ショートランド
１５０，２５０，３５０，４３０  グランドパターン
１６０，２６０  ２色ＬＥＤ
３３０  ３色目ＬＥＤ用ランドパターン
３４３  ２色目ＬＥＤ用ショートランド
３６０  ３色ＬＥＤ
４１０  単色ＬＥＤ用端子
【図１】
0003744816.tif 000002
【図２】
0003744816.tif 000003
【図３】
0003744816.tif 000004
【図４】
0003744816.tif 000005
【図５】
0003744816.tif 000006
【図６】
0003744816.tif 000007